(57)【要約】      （修正有）【課題】使用者の周囲に音が漏れず、使用者が、音楽や、テレビ、ラジオを寝ながら一人で楽しむことができると共に、良好な音質が得られるようにした枕用スピーカ装置を提供する。【解決手段】枕用スピーカ装置は、敷布団やベッドのマット等の敷物２１と、枕２２との間に配置する。平面波スピーカユニット１２ａ及び１２ｂは、面音源の平面波を発生する。平面波スピーカユニット１２ａ及び１２ｂを、エンクロジャーの上面パネル１１ａに配設し、エンクロジャーの基板１１ｃに開口１６ａ、１６ｂを形成し、エンクロジャーの下面パネル１１ｂに開口１３ａ及び１３ｂを形成する。エンクロジャーの基板１１ｃに開口１６ａ、１６ｂを形成し、下面パネル１１ｂに開口１３ａ及び１３ｂを形成することで、エンクロジャー内の基板１１ｃの空気層と敷物２１の空気層とが一体化し、エンクロジャーの空気層が等価的に増大する。これにより、低域特性が改善される。【選択図】図５
0003115814.tif 000002
【実用新案登録請求の範囲】
【請求項１】
空気層を有する敷物と空気層を有する枕との間に配置するようにした枕用スピーカ装置であって、
平面波を発生する平面波スピーカユニットと、
その上面に前記平面波スピーカユニットが配設され、その下面に開口が形成されたエンクロジャーとからなり、
前記開口により前記エンクロジャー内の空気層と前記敷物の空気層とを一体化して、前記エンクロジャーの空気層を等価的に増大する
ようにしたことを特徴とする枕用スピーカ装置。
【請求項２】
前記開口は、前記平面波スピーカユニットの背面の位置と対応して配置するようにしたことを特徴とする請求項１に記載の枕用スピーカ装置。
【請求項３】
前記平面波スピーカユニットは、左右に配置された第１及び第２の平面波スピーカユニットからなるようにしたことを特徴とする請求項１に記載の枕用スピーカ。
【請求項４】
前記第１及び第２の平面波スピーカユニットは、互いに所定間隔だけ離間して配設するようにしたことを特徴とする請求項３に記載の枕用スピーカ装置。
【考案の詳細な説明】
【技術分野】
【０００１】
本考案は、敷布団やベッドのマットと枕の間に置いて使用する枕用スピーカに関するもので、特に、平面波スピーカユニットを用いたものに関する。
【背景技術】
【０００２】
従来のスピーカとしては、図６に示すように、コーン型のスピーカが用いられている。このようなコーン型のスピーカの場合には、球音源となり、球面波が発生される。このような球面波では、乱反射が生じ、音質を劣化させる。また、球音源の場合には、音圧エネルギーは、距離の二乗に反比例して減衰するため、音源から離れると、明瞭な音響が聞きずらくなる。
【０００３】
これに対して、近年、面音源の平面波を発生する平面波スピーカが注目されている。平面波スピーカでは、図７に示すように、音源が面音源となり、平面波を発生する。平面波の場合には、直進性が良くなり、音源から離れていても、減衰しにくいという特徴を持つ。また、平面波では、直進性が良くなることから、狭指向性となり、乱反射が少なく、明瞭で高音質な音響が再生可能となる。
【０００４】
このように、面音源の平面波を発生する平面波スピーカは、基本的には、特許文献１に示されているように、平面上に複数の磁石を配置し、平面上の磁石の面に対して平行に、導体パターンを有する平面状の振動膜を配置して形成される。また、特許文献１には、振動膜を固定していないため、振動膜の周辺部での共振による異音の発生を抑圧することができるようにした平面波スピーカが開示されている。
【０００５】
本願出願人は、このような平面波スピーカを使って、寝ながら自分だけが音楽や、テレビ、ラジオを楽しめるようにした枕用のスピーカ装置の開発を進めている。
【０００６】
つまり、例えば、周りに迷惑をかけずに、夜、寝ながら音楽や、テレビ、ラジオを楽しむ場合、従来、イヤホンやヘッドホンが利用されている。しかしながら、イヤホンは音が悪く、モノラルでの聴取となる。また、耳に物を入れるといった煩わしさや、使用中に外れるという問題がある。また、イヤホンを装着したまま眠ってしまうと、耳からイヤホンが外れなくなってしまったり、外れたイヤホンが頭の下に入ってしまったりするという問題がある。
【０００７】
ヘッドホンは、イヤホンに比べて、高音質でステレオでの聴取ができるという利点がある。しかしながら、ヘッドホンでは、耳や頭部を圧迫し、不快な状態になりやすい。
【０００８】
また、従来のコーン型のスピーカを用いて、枕用スピーカ装置を形成することも考えられるが、コーン型スピーカでは、外部への音漏れが大きく、周囲の人に迷惑をかけるという不具合が発生する。
【０００９】
これに対して、平面波スピーカは、元来、高音質で、狭指向性、音の直進性があるという特徴があるため、小音量であっても明瞭な音響を聞き取ることができる。また、狭指向性、音の直進性があるということから、スピーカを使用している人にだけ聞こえ、周囲の人達には、音が聞き取りにくいという特徴がある。したがって、平面波スピーカを使って枕用スピーカ装置を形成すると、周りに迷惑をかけずに、音楽や、テレビ、ラジオを寝ながら一人で楽しむことができる。
【特許文献１】特許第３１９２３７２号
【考案の開示】
【考案が解決しようとする課題】
【００１０】
平面波スピーカユニットは、振動膜が極めて薄く、軽量に作られている。このため、エンクロジャーに納めないで使用すると、干渉が発生し、歪みも発生し易い。そこで、平面波スピーカを使って枕用スピーカ装置を形成する場合にも、平面波スピーカユニットをエンクロジャーに収納して使用することが望まれる。
【００１１】
ところが、枕用スピーカ装置では、薄型化が要望され、十分な容量のエンクロジャーを確保することが難しい。エンクロジャーの容量を小さくすると、低域特性が劣化するという問題が生じる。
【００１２】
本考案は、上述の課題を鑑み、使用者の周囲に音が漏れず、使用者が、音楽や、テレビ、ラジオを寝ながら一人で楽しむことができると共に、良好な音質が得られるようにした枕用スピーカ装置を提供することを目的とする。
【課題を解決するための手段】
【００１３】
上述の課題を解決するために、本考案に係る枕用スピーカ装置は、空気層を有する敷物と空気層を有する枕との間に配置するようにした枕用スピーカ装置であって、面音源の平面波を発生する平面波スピーカユニットと、その上面に平面波スピーカユニットが配設され、その下面に開口が形成されたエンクロジャーとからなり、開口によりエンクロジャー内の空気層と敷物の空気層とを一体化して、エンクロジャーの空気層を等価的に増大するようにしたことを特徴とする。
【００１４】
好ましくは、開口は、平面波スピーカユニットの背面の位置と対応して配置するようにしたことを特徴とする。
【００１５】
好ましくは、平面波スピーカユニットは、左右に配置された第１及び第２の平面波スピーカユニットからなるようにしたことを特徴とする。
【００１６】
好ましくは、第１及び第２の平面波スピーカユニットは、互いに所定間隔だけ離間して配設するようにしたことを特徴とする。
【考案の効果】
【００１７】
本考案によれば、空気層を有する敷物と空気層を有する枕との間に配置するようにした枕用スピーカ装置であって、面音源の平面波を発生する平面波スピーカユニットと、その上面に平面波スピーカユニットが配設され、その下面に開口が形成されたエンクロジャーとからなり、開口によりエンクロジャー内の空気層と敷物の空気層とを一体化して、エンクロジャーの空気層を等価的に増大するようにしている。このため、エンクロジャーを薄型化しても、エンクロジャー内のスティフネスが大きくならず、低域特性が良好となる。
【００１８】
本考案によれば、開口を、平面波スピーカユニットの背面の位置と対応して配置するようにしている。このため、平面波スピーカユニットの背面からの音を開口から敷物の空気層に逃がすことができる。
【００１９】
本考案によれば、平面波スピーカユニットを、左右に配置された第１及び第２の平面波スピーカユニットからなるようにしている。これにより、ステレオ再生が可能となる。
【００２０】
本考案によれば、第１及び第２の平面波スピーカユニットを、互いに所定間隔だけ離間して配設するようにしている。これにより、自然なステレオ再生が可能となる。
【考案を実施するための最良の形態】
【００２１】
以下、本考案の実施の形態について図面を参照しながら説明する。図１は、本考案の実施形態の枕用スピーカ装置１の構成を示す全体斜視図である。図１において、符号１１はエンクロジャーを示すものである。エンクロジャー１１は、例えば合成樹脂又は木で形成されており、上面パネル１１ａと、下面パネル１１ｂと、基板１１ｃとから構成される。図２（Ａ）、図２（Ｂ）及び図２（C）は、本考案の実施形態の枕用スピーカ装置１の構成を示す上面斜視図、下面斜視図及び基板斜視図である。
【００２２】
エンクロジャー１１の上面パネル１１ａには、図２（Ａ）に示すように、左右２つの平面波スピーカユニット１２ａ及び１２ｂが取り付けられる。平面波スピーカユニット１２ａ及び１２ｂは、平面上に複数の磁石を配置し、この平面上の磁石の面に対して平行に、導体パターンを有する平面状の振動膜を配置し、導体パターンに信号を供給して、振動膜を振動させることで、面音源の平面波を発生する。平面波スピーカユニット１２ａ及び１２ｂは、使用者の耳の間隔に対応する距離だけ離間して配置される。
【００２３】
エンクロジャー１１の下面パネル１１ｂには、図２（Ｂ）に示すように、四角形の開口が２つ形成され、この開口には、パンチングメタル板１４ａ及び１４ｂが取り付けられる。
【００２４】
エンクロジャー１１の基板１１ｃの側壁からは、ケーブル１５が引き出される。ケーブル１５は、基板の表面に設けられたＴ字型凹部１７を介して図示されていない各平面波スピーカユニット１２ａ及び１２ｂに接続される。
【００２５】
図３は、本考案の実施形態の枕用スピーカ装置１のＡ−Ａ端面図である。図３に示すように、上面パネル１１ａと下面パネル１１ｂとが対向して配置され、上面パネル１１ａと下面パネル１１ｂとの間の開口１６ａ及び１６ｂが空気層を形成する。また、上面パネル１１ａの平面波スピーカユニット１２ａ及び１２ｂの背面の位置と、下面パネル１１ｂの開口１３ａ及び１３ｂの位置とは、互いに対応している。
【００２６】
図４は、本考案の実施形態の枕用スピーカ装置１の使用方法を示すものである。図４に示すように、本考案の実施形態の枕用スピーカ装置１を使用するときには、敷布団やベッド等の空気層を有する敷物２１上に、枕用スピーカ装置１が置かれ、その上に、空気層を有する枕２２が置かれる。また、エンクロジャー１１から導出されたケーブル１５はテレビやステレオ等の音響機器２３の音声出力端子に接続される。
【００２７】
テレビやステレオ等の音響機器２３からの音声信号は、ケーブル１５を介して伝えられ、枕用スピーカ装置１に供給される。これにより、枕用スピーカ装置１の平面波スピーカユニット１２ａ及び１２ｂから平面波が発生される。平面波スピーカユニット１２ａ及び１２ｂの前面からの音は、枕２２を介して、敷物２１に横たわっている使用者の耳元に送られる。
【００２８】
なお、本考案の実施形態の枕用スピーカ装置１を病院で使用する場合や、寝たきりとなっている老人のために使用する場合には、マイクロホンで周囲の音声を取得し、この周囲の音声をアンプで増幅し、本考案の実施形態の枕用スピーカ装置１に供給するようにしても良い。
【００２９】
このように、本考案が適用された枕用スピーカ装置１は、エンクロジャー１１に平面波スピーカユニット１２ａ及び１２ｂを収納して構成される。平面波スピーカは、高音質で、狭指向性であるという特徴がある。このため、小音量であっても、明瞭な音響を聞き取ることができる。このため、周囲への音漏れが少なく、敷物２１に横たわっている使用者のみが、明瞭な音響を聞き取ることができる。
【００３０】
また、本考案が適用された枕用スピーカ装置１では、図３に示したように、エンクロジャー１１の基板１１ｃに開口１６ａ、１６ｂが形成され、下面パネル１１ｂに開口１３ａ及び１３ｂが形成されている。このため、エンクロジャー１１を薄型としても、十分な低域特性を確保することができる。
【００３１】
このことについて以下に説明する。周知のように、スピーカユニットを密閉型エンクロジャーに収納すると、エンクロジャーの中の空気が密封されるため、スティフネス（空気のバネの力）により、スピーカユニットのもつ最低共振周波数は上昇する。
【００３２】
エンクロジャーのスティフネスは、ほぼ、エンクロジャーの容積に反比例する。よって、エンクロジャーを薄型にすれば、エンクロジャーの容積が小さくなり、スティフネスが上がり、低域特性が悪化することになる。
【００３３】
これに対して、本考案の実施形態の枕用スピーカ装置１では、図３に示したように、エンクロジャー１１の基板１１ｃに開口１６ａ、１６ｂが形成され、下面パネル１１ｂに開口１３ａ及び１３ｂが形成されている。このため、エンクロジャー１１の空気層の容積が等価的に増加する。
【００３４】
つまり、本考案の実施形態の枕用スピーカ装置１は、図４に示したように、枕用スピーカ装置１を敷物２１と枕２２との間に配置して使用される。エンクロジャー１１の基板１１ｃに開口１６ａ、１６ｂが形成され、下面パネル１１ｂに開口１３ａ及び１３ｂが形成されているため、図５に示すように、枕用スピーカ装置１を敷物２１と枕２２との間に配置すると、エンクロジャー１１の空気層１６ａ及び１６ｂと敷物２１の空気層とが一体となり、エンクロジャーの容積が増大したことと等価となる。エンクロジャーの容積が等価的に増大すれば、スティフネスが下がり、低域特性が改善される。
【００３５】
このように、本考案の実施形態の枕用スピーカ装置１では、エンクロジャー１１の基板１１ｃに開口１６ａ、１６ｂが形成し、下面パネル１１ｂに開口１３ａ及び１３ｂを形成することで、エンクロジャー１１の空気層１６ａ及び１６ｂと敷物２１の空気層とを一体化し、エンクロジャーの空気層の容量を等価的に増大させるようにしている。これにより、エンクロジャー１１を薄型化しても、豊かな低音を再生できる。
【００３６】
なお、平面波スピーカユニット１２ａ及び１２ｂからは、前面方向と背面方向とに音波が出力される。背面から発生した音が反射して、再び同相で平面波スピーカユニット１２ａ及び１２ｂに戻ると、その反射波は、平面波スピーカユニット１２ａ及び１２ｂの振動膜を振動させ、音質を劣化させる。
【００３７】
この実施形態では、図４に示したように、枕用スピーカ装置１は、敷物２１上に置かれる。敷物２１には、綿やウレタン等のクッション材が封入されており、このようなクッション材は吸音材となる。このため、平面波スピーカユニット１２ａ及び１２ｂの背面からの音が敷物２１に伝わっても、この音は吸音され、反射波として悪影響を及ぼすことはない。
【００３８】
本考案は、上述した実施形態に限定されるものではなく、本考案の要旨を逸脱しない範囲内で様々な変形や応用が可能である。
【００３９】
例えば、本考案の実施形態では、開口１３ａ及び１３ｂを四角形としているが、開口１３ａ及び１３ｂは、円形等、他の形でも良い。また、本考案の実施形態では、各平面波スピーカユニット１２ａ及び１２ｂの背面の位置に対して、それぞれ、１つの開口１３ａ及び１３ｂを形成しているが、各平面波スピーカユニット１２ａ及び１２ｂの背面の位置に対して、複数の開口を設けるようにしても良い。
【００４０】
また、上述の実施形態は、左右に平面波スピーカユニット１２ａ及び１２ｂを配置してステレオ再生を可能としているが、本考案は、モノラルの構成にも同様に適用できる。
【産業上の利用可能性】
【００４１】
本考案は、敷布団やマットと枕との間に置いて使用する枕用のスピーカ装置として利用可能である。
【図面の簡単な説明】
【００４２】
【図１】本考案の実施形態の枕用スピーカ装置全体の斜視図である。
【図２】本考案の実施形態の枕用スピーカ装置の上面斜視図、下面斜視図及び基板斜視図である。
【図３】本考案の実施形態の枕用スピーカ装置の端面図である。
【図４】本考案の実施形態の枕用スピーカ装置の使用時の説明に用いる斜視図である。
【図５】本考案の実施形態の枕用スピーカ装置における空気層増大の説明図である。
【図６】コーン型スピーカからの音波の特性の説明図である。
【図７】平面波スピーカからの音波の特性の説明図である。
【符号の説明】
【００４３】
１  枕用スピーカ装置
１１  エンクロジャー
１１ａ  上面パネル
１１ｂ  下面パネル
１１ｃ  基板
１２ａ、１２ｂ  各平面波スピーカユニット
１３ａ、１３ｂ  開口
１４ａ、１４ｂ  パンチングメタル板
１５  ケーブル
１６ａ、１６ｂ  空気層
１７  Ｔ字型凹部
２１  敷物
２２  枕
２３  音響機器
【図１】
0003115814.tif 000003
【図２】
0003115814.tif 000004
【図３】
0003115814.tif 000005
【図４】
0003115814.tif 000006
【図５】
0003115814.tif 000007
【図６】
0003115814.tif 000008
【図７】
0003115814.tif 000009